(57)【要約】      （修正有）【課題】動画や音声の再現ができて、葉書の投函と料金の支払いが簡単なハガキを提供する。【解決手段】利用者個人のパソコンやスマートフィンの電子端末で作ったデータを、そのままあるいは電子媒体の形で使用し、これに個々のデータに対応したアプリを備えたデータをやり取りすることで、葉書に動画等を再構成できる機能を具備する。さらに葉書の図案と宛名を印刷することで料金の支払いを含めた葉書の投函業務を行う。【選択図】図１
2019144889.tif 000002
【特許請求の範囲】
【請求項１】
葉書の利用者の、パソコンあるいはスマートフォン等の個人の電子機器端末
を用いて作成した画像データを、そのままあるいは電子媒体の形で利用して、
この画像データに対して、これとは別にその都度画像データを持たない、いわ
ば空の共通の基本アプリの複製を利用することよって、仮想現実の技法の使る
個々に対応したアプリを作り、このアプリによって動画と音声が楽しめるよう
にした葉書の作成方法。
【請求項２】
請求項１のデータを裏面に印刷し、表面には宛名を別々に印刷して１枚の葉
書を投函できる形で完成させ、料金はクレジットまたは郵振で支払う投函の
手間の掛からない請求項１記載の葉書の作成方法。
【発明の詳細な説明】
【技術分野】
【０００１】
本発明は、葉書の図案を動画化し、さらにこの葉書を簡単に自動投函する一連の方法に関する。
【背景技術】
【０００２】
虚礼廃止の風潮からか、年賀状をやり取りすることが少なくなった。
又、電子端末を利用することが速く、しかも安価で要件を済ませることが出来るということで、以前のように葉書でもって用を足す機会も減った。
時代の趨勢といえばそれまでだが、何か大切なものが失われていくように感じる。
【０００３】
本発明は、このことを鑑み、人が便りをやり取りすることの楽しさを現代のツールを活用して再認識し、併せて投函の手間も省こうというものである。
【０００４】
以下、従来の方法を簡単に説明する。例えば年賀状の場合、静止画の写真や絵を用い、これに年始の挨拶文を添えた。完成したハガキは切手を貼って郵便局に足を運んで投函した。
【先行技術文献】
【特許文献】
【０００５】
【特許文献１】特開２０１６−１２３４９号公報
【発明の概要】
【発明が解決しようとする課題】
【０００６】
従来のハガキでは、動画や音声を再現できる機能を具備していない。またハガキに切手を貼ったり投函する手間がかかっていた。          
【０００７】
本発明は、このような従来の方法が有していた問題を解決するものであり、
人が便りを出すこと、もらうことの喜びを再認識して、葉書の利用を倍増し、
併せて手を煩わせることなく、葉書が投函出来る一連の方法を実現すること
を目的とするものである。
【課題を解決するための手段】
【０００８】
本発明は、上記の目的を達成するために、利用者の作成した画像データや音声データを葉書を通して再現できる機能を葉書に持たせるものである。
【０００９】
画像データなどのデータは、利用者個人のパソコンやスマートフォン等の電子機器端末を用いて作られ、そのままあるいは電子媒体の形で利用される。このデータは、後にアプリを起動させスマートフォンで葉書を撮影した際に動画として再現されるものになるものである。
【００１０】
届いたデータは、仮想現実という技術によって処理され、上記の目的を果たすものとなる。
この技術は、最近では新聞あるいは商品の広告等に応用され、一般に知られるものである。しかし、この技術を葉書に応用したものはまだない。
【００１１】
ところで、新聞や広告の場合には、1つのアプリを使用することで利用者は用
が足りるが、葉書にこの技法を応用する場合には、当然利用者一人毎に対応す
る多量のアプリが必要となる。
【００１２】
そこで、画像データを持たない、いわば共通の空の基本的なアプリを用意し、利用者が画像データを送ってくれば、その都度基本アプリからいわば複製して、仮想現実の技法が使える個々に対応したアプリを作って行くと言う方法を使うこととなる。
【００１３】
また、第２の課題の解決手段は次の通りである。
画像データと宛名データは、別々のものである。現在では以前のハガキを持
参すれば次年度の年賀状に転用するサービスもあるが、利用者が希望すれば、
一枚の葉書の裏面は画像データ、表面は宛名データとして合わさった形で印刷
されて、そのまま投函できる葉書が出来上がる。
【００１４】
上記第１の課題解決による作用は次の通りである。
利用者のもつ録画データは個人では利用することが難しい仮想現実という技法
によって葉書を通して再現される。
【００１５】
そして、年賀状の場合には必要な枚数が印刷される。葉書の受け取った者は、
スマートフォンを用いてその情報を動画としてみることとなる。つまり画像付
きの、声の便りとして楽しむこととなるのである。
【００１６】
また、第２の課題の解決手段による作用は、以下の通りである。
上記の録画データと宛名データは、切手の図案が印刷された台紙に裏表に
別々に印刷がなされ、そのまま投函できる格好で完成し配達へ回される。
【００１７】
ここで、旅行先から友人の便りなど出す場合は、クレジット支払いを利用し、
年賀状などの多量の場合はクレジットや郵振で料金を支払うことになる。
そのため、投函する段になって、切手を求めたり、葉書を出しに行く面倒
が解消される。
【発明の効果】
【００１８】
上述したように、本発明は今まで単なる静止画であった葉書の図案を動画
とすることで、動きと語る文面で親しみを覚えるようになる。
ことに、子供さんの登場する動画による年賀状は状況が一変する。
【００１９】
また、利用者はパソコンやスマートフォンの電子機器で作成したデータを転
送することで一気に作業は完成する。
あとは機械が自動で葉書を作成し、投函業務を行うので、現在の投函業務
サービスは不要となる。
【００２０】
そして何より、旅行中などの際、葉書のレイアウトと文面を考えれば、思
いついた時に時を違えずその旅情を友人に郵便という形で伝えることが可能
となる。
【図面の簡単な説明】
【００２１】
【図１】本発明の手順を表すフローチャート
【発明を実施するための形態】
【００２２】
以下、本発明の実施形態を説明する。
図１において、１１は、画像のレイアウトや挨拶文の考案である。
１２は利用者がパソコンあるいはスマートフォン等の電子端末を使って撮影
を行い、動画を作成する過程を表す。
【００２３】
１３は、同様に宛名データの作成である。葉書の持ち込みをする場合は、そ
れを宛名データに変換する過程である。
【００２４】
１４は、データの集約である。
データが集約され、仮想現実の技術を用いた処理がなされ、葉書の画面を構
成する。
【００２５】
３１  そして、切手の図案が印刷された台紙に宛名が印刷され、そのままで配達可能な葉書が出来あがる。  
【符号の説明】
【００２６】
１１    葉書のレイアウトや画像の考案
１２   録画データの撮影作成
１３   宛名データの作成
１４   データの集約・仮想現実データとしての作成
２１   料金の支払い処理
３１   葉書の印刷
４１   配達
【図１】
2019144889.tif 000003
【手続補正書】
【提出日】平成31年4月16日(2019.4.16)
【手続補正１】
【補正対象書類名】特許請求の範囲
【補正対象項目名】請求項１
【補正方法】変更
【補正の内容】
【請求項１】
葉書の利用者の、パソコンあるいはスマートフォン等の個人の電子機器端末を用いて作成した画像データを、そのままあるいは電子媒体の形で利用するが、この画像デーに対して、これとは別にその都度画像データを持たない、いわば空の共通の基本アプリの複製を利用することによって、仮想現実の技法の使える個々に対応したアプリを作り、コンピュ
ータを用いて画像の編集を行って、これによって動画と音声が楽しめるよう作られる葉書の作成方法。

、